(57)【特許請求の範囲】
【請求項１】
カバー部材（１０）と、二つの封止プレート（２０）とからなり、
カバー部材（１０）は錠部材（３０）の鍵穴側の端部に装着するための回動可能なキャップ状体であり、その一側に設けられる面板（１１）の中央に該鍵穴と対応する開口（１２）が形成されると共に、面板（１１）の内側面に、径方向に対向する二つの長溝（１３）が形成され、
二つの封止プレート（２０）はカバー部材（１０）内に互いに反転した状態で、且つ開口（１２）が封止可能となるように配置され、更にその一端には位置決め柱（２１）が設けられると共に、他端には位置決め柱（２１）と反対方向に延出する案内柱（２２）が設けられ、それらの位置決め柱（２１）を介して二つの封止プレート（２０）が錠部材（３０）の端面に枢設され、それらの案内柱（２２）が夫々カバー部材（１０）内における長溝（１３）内に嵌め込まれることにより、カバー部材（１０）の回動に二つの封止プレート（２０）が連動して、錠部材（３０）の鍵穴を封止することを特徴とする錠用防護カバー。
【請求項２】
カバー部材（１０）の内側面に少なくとも一つの位置決め凸部（１４）が設けられると共に、錠部材（３０）の端部外周面における、位置決め凸部（１４）と対応する位置に長溝（３１）が形成され、その長溝（３１）と位置決め凸部（１４）とは対応し合い、位置決め凸部（１４）は長溝（３１）の所定範囲内において回動することを特徴とする請求項１に記載の錠用防護カバー。
【請求項３】
錠部材（３０）における長溝（３１）は円環状であり、
封止プレート（２０）の形状は略三日月形であり、
カバー部材（１０）における長溝（１３）内の両端付近に夫々案内柱（２２）を係止するための係止凸部（１５）が設けられることを特徴とする請求項１又は請求項２に記載の錠用防護カバー。
【発明の詳細な説明】
【０００１】
【発明の属する技術分野】
本発明は、特に錠部材の鍵穴側の端部に組み合わされ、鍵穴への塵埃や雨水等の侵入を防ぐことにより、錠部材の故障を防止する、錠用防護カバーに関するものである。
【０００２】
【従来技術】
従来、鍵穴への塵埃や雨水等の侵入を防ぐための錠には三つのタイプがある。一つ目のタイプは中華民国特許公告第３２０１３８号「錠の防塵カバー」及び中華民国特許公告第３５７７９５号「錠の鍵穴封止カバー」等に示す開閉式防護カバーであり、その構造は、錠部材における鍵穴と対応する位置にカバー座が設けられ、そのカバー座の中央に鍵穴と対応する開口が形成されると共に、一側に鍵穴を封止するカバー板が枢設され、或いは、可撓性部材によりカバー板が連結され、そのカバー板は平常時において鍵穴を封止するので、塵埃や雨水などの侵入を防ぐことにより、鍵穴の詰まりや腐食を防止する。錠を使用する時はカバー板を開け、鍵を鍵穴内に挿入してロックを解除した後、鍵を抜き取り再びカバー板により鍵穴を封止する。
【０００３】
二つ目のタイプは図５に示すように、プッシュ式防護カバーであり、その構造は、錠部材（５０）における鍵穴と対応する位置にカバー部材（４０）が設けられ、そのカバー部材（４０）の前端に開閉可能な複数の防塵プレート（４１）が設けられると共に、各防塵プレート（４１）とカバー部材（４０）との間にスプリング（４２）が設けられ、防塵プレート（４１）の外側に面板（４３）が固設される。使用する時は図６に示すように、鍵で防塵プレート（４１）を押し開け、鍵を直接に錠部材における鍵穴に挿入してロックを解除した後、鍵を抜き取る。この時、防塵プレート（４１）はスプリング（４２）の付勢力により閉じてカバー部材（４０）の前端における開口を封止する。
【０００４】
三つ目のタイプは回動式防護カバーであり、例えば、中華民国特許公告第３２５０２１号「錠の防水カバー」がその例である。その構造は、錠部材の外側にスリーブが嵌通され、そのスリーブの一端に回動可能な円筒部材が設けられると共に、円筒部材の内壁に複数の歯部が形成され、円筒部材の外端にリング部材が固設され、リング部材の内面に二つの揺動プレートが枢設され、その揺動プレートの一端に設けられる歯部が円筒部材内の歯部と噛合する。使用する時は、円筒部材を回せば、二つの揺動プレートが開き、錠部材の鍵穴が露出する。また、円筒部材を反対方向に回せば、揺動プレートが閉じて、錠部材の鍵穴を封止して、塵埃や雨水などの鍵穴内への侵入を防止する。
【０００５】
【発明が解決しようとする課題】
しかし、前記３タイプの内、一つ目のタイプである、中華民国特許公告第３２０１３８号「錠の防塵カバー」及び中華民国特許公告第３５７７９５号「錠の鍵穴封止カバー」は、共に防護カバーがプラスチック材質から成るため、開閉動作を頻繁に行うと、カバー部材とカバー板との枢設個所や、カバー部材とカバー板とを連結する可撓性部材が緩み、両者をしっかりと嵌合できなくなり、結果的には塵埃や防水機能が失われるという問題が生じる。
【０００６】
二つ目のタイプは、前記一つ目のタイプを改良したものであり、カバー部材内に複数の防塵プレートが枢設される。それら各防塵プレートは、スプリングの付勢力により、カバー部材の前端における開口を封止する。しかし、この種のタイプは全体的に部材数が多いため、製造コストが高く、組立てが非常に不便であると共に、防塵プレートの設置スペースも確保する必要があるため、全体の体積が大きくなるなどの数々の問題が生じる。
【０００７】
三つ目のタイプはスリーブに円筒部材及び二つの揺動プレートを組合わせると共に、それら二つの揺動プレートの歯部を円筒部材内の歯部と噛合させて回動させることにより防護カバーの開閉を制御するので、前記一つ目のタイプの問題を解決するだけでなく、二つ目のタイプの問題、つまり部材数が多く、且つ製造コストが高く、組立てが不便で、全体の体積が大きくなるなどの問題も解決できる。しかし、防護カバーは低コスト化や軽量化を図るためプラスチック材質から構成されると共に、円筒部材の内縁には歯部が形成され、更に、揺動プレートの一端に該円筒部材の歯部と対応する歯部が形成されるので、形状が極めて複雑であり、プラスチック成形に用いられる金型のコストが高くなると共に、防護カバーは頻繁に使用すると、円筒部材の歯部や揺動プレートの歯部が摩損し、揺動プレートの動きに悪影響を与えるなど、数々の問題も生じる。
【０００８】
【課題を解決するための手段】
本発明は、
カバー部材（１０）と、二つの封止プレート（２０）とからなり、
カバー部材（１０）は錠部材（３０）の鍵穴側の端部に装着するための回動可能なキャップ状体であり、その一側に設けられる面板（１１）の中央に該鍵穴と対応する開口（１２）が形成されると共に、面板（１１）の内側面に、径方向に対向する二つの長溝（１３）が形成され、
二つの封止プレート（２０）はカバー部材（１０）内に互いに反転した状態で、且つ開口（１２）が封止可能となるように配置され、更にその一端には位置決め柱（２１）が設けられると共に、他端には位置決め柱（２１）と反対方向に延出する案内柱（２２）が設けられ、それら位置決め柱（２１）を介して二つの封止プレート（２０）が錠部材（３０）の端面に枢設され、案内柱（２２）が夫々カバー部材（１０）内における長溝（１３）内に嵌め込まれることにより、カバー部材（１０）の回動に二つの封止プレート（２０）が連動して、錠部材（３０）の鍵穴を封止することを特徴とする錠用防護カバー、を提供する。
【０００９】
【作用】
本発明は上記の課題を解決するものであり、カバー部材と、二つの封止プレートとからなり、
カバー部材は錠部材の鍵穴側の端部に装着するための回動可能なキャップ状体であり、その一側に設けられる面板の中央に該鍵穴と対応する開口が形成されると共に、面板の内側面に径方向に対向する二つの長溝が形成され、二つの封止プレートはカバー部材内に互いに反転した状態で、且つ開口が封止可能となるように配置され、更にその一端には位置決め柱が設けられると共に、他端には位置決め柱と反対方向に延出する案内柱が設けられ、それら位置決め柱を介して二つの封止プレートが錠部材の端面に枢設され、それらの案内柱が夫々カバー部材内における長溝内に嵌め込まれることにより、カバー部材の回動に二つの封止プレートが連動して、錠部材の鍵穴を封止するので、鍵穴への塵埃や雨水などの侵入を完全に防ぐことができる。
【００１０】
以下、添付図面を参照して本発明の実施の形態を詳細に説明する。
【００１１】
【発明の実施の形態】
図１は本発明に係わる錠用防護カバーの分解斜視図である。図２は本発明に係わる錠用防護カバーを錠部材に組合わせた状態を示す一部側面断面図である。図３は本発明に係わる錠用防護カバーの封止プレートが閉じた状態を示す正面透視図である。図４は本発明に係わる錠用防護カバーの封止プレートが開いた状態を示す正面透視図である。
【００１２】
図１乃至図３に示すように、本発明の錠用防護カバー（１）は例えば鍵穴が端部に設けられるＵ字形の錠などに使用され、その構成はカバー部材（１０）と、二つの封止プレート（２０）とから成り、カバー部材（１０）は錠部材（３０）の鍵穴（符号なし）側の端部に装着するための回動可能なキャップ状体であり、その一側に設けられる面板（１１）の中央に該鍵穴と対応する開口（１２）が形成されると共に、面板（１１）の内側面に径方向に対向する二つの長溝（１３）が形成される。
【００１３】
更に、前記カバー部材（１０）の内側面に少なくとも一つの位置決め凸部（１４）が設けられると共に、錠部材（３０）には、位置決め凸部（１４）と対応する位置に長溝（３１）が形成され、その長溝（３１）と位置決め凸部（１４）は対応して、位置決め凸部（１４）は、長溝（３１）の所定範囲内において回動する。また、図中に示すように、錠部材（３０）における長溝（３１）は円環状を成し、その長溝（３１）の外側周縁に位置決め凸部（１４）と対応するガイド凹部（３２）が形成されて、位置決め凸部（１４）がガイド凹部（３２）から長溝（３１）内に進入して係止される。
【００１４】
前記二つの封止プレート（２０）は、カバー部材（１０）内に互いに反転した状態で、且つ開口（１２）が封止可能となるように配置され、その形状は図中に示すように略三日月形を成すと共に、その一端には位置決め柱（２１）が設けられ、他端には位置決め柱（２１）と反対方向に延出する案内柱（２２）が設けられ、更に、それら位置決め柱（２１）が夫々錠部材（３０）の端面に形成される位置決め孔（３３）に枢設されると共に、案内柱（２２）が夫々カバー部材（１０）内における長溝（１３）内に嵌め込まれ、また、カバー部材（１０）における長溝（１３）内の両端付近に夫々案内柱（２２）を係止するための係止凸部（１５）が設けられる。それにより、案内柱（２２）が長溝（１３）内で移動して位置決めされた時、係止凸部（１５）が当接することによりしっかりと係止固定される。
【００１５】
図４に示すように、本発明の錠用防護カバー（１）を開けて鍵穴を露出させたい時は、カバー部材（１０）を回動させる。この際、長溝（１３）で各封止プレート（２０）の一端に設けられた案内柱（２２）を押すと共に、各封止プレート（２０）が該封止プレート（２０）の他端に設けられた位置決め柱（２１）の中心を支点として連動し回動し、錠部材における鍵穴を露出させる。一方、図３に示すように、防護カバー（１）を閉じたい時は、カバー部材（１０）を反対方向へ回動させれば、その回動に各封止プレート（２０）が連動して、封止プレート（２０）が元来の位置まで移動し、錠部材における鍵穴を封止する。
【００１６】
【発明の効果】
本発明は上記の構成を有するので、次に示す効果がある。
１．本発明の防護カバーはカバー部材に二つの封止プレートを組合わせて成るため、カバー部材は回動の際に、二つの封止プレートを精確に連動させて回動し、防護カバーの開閉を制御する。従って、頻繁に使用しても常に良好な
開閉動作を提供でき、且つ、優れた防塵、防水効果を発揮する。
２．本発明の防護カバーは部材数が少ないので、コストダウンができると共に、組立てがしやすいなどの利点がある。更に、本発明の二つの封止プレートはカバー部材内において回動するため、封止プレートの設置スペースを小さくし、防護カバー全体の体積を小さくできる。
３．更に、カバー部材と封止プレートとは、単に凹部と凸部との組合わせのみにより防護カバーを良好に開閉させるので、各部品の形状が非常に簡単であり、防護カバーにおける、金型のコストダウンも達成できる。
【図面の簡単な説明】
【図１】本発明に係わる錠用防護カバーの分解斜視図である。
【図２】本発明に係わる錠用防護カバーを錠部材に組合わせた状態を示す一部側面断面図である。
【図３】本発明に係わる錠用防護カバーの封止プレートが閉じた状態を示す正面透視図である。
【図４】本発明に係わる錠用防護カバーの封止プレートが開いた状態を示す正面透視図である。
【図５】従来の錠用防護カバーが閉じている状態を示す側面断面図である。
【図６】従来の錠用防護カバーが鍵の挿入により開いた状態を示す側面断面図である。
【符号の説明】
１          防護カバー
１０        カバー部材
１１        面板
１２        開口
１３        長溝
１４        位置決め凸部
１５        係止凸部
２０        封止プレート
２１        位置決め柱
２２        案内柱
３０        錠部材
３１        長溝
３２        ガイド凹部
３３        位置決め孔
４０        カバー部材
４１        防塵プレート
４２        スプリング
４３        面板
５０        錠部材
【図１】
0003621980.tif 000002
【図２】
0003621980.tif 000003
【図３】
0003621980.tif 000004
【図４】
0003621980.tif 000005
【図５】
0003621980.tif 000006
【図６】
0003621980.tif 000007